(57)【要約】【課題】紳士服用ズボンの着用者が歩行等する際に生じる股ずれを防止するため、紳士服用ズボンの股部内側に固定することのできる補強用布材を提供すること。【解決手段】ズボンの股部内側５に加熱機を用いて固定することができることを特徴とする股ずれ防止用接着剤付き補強布材１。【選択図】図１
0003098164.tif 000002
【実用新案登録請求の範囲】
【請求項１】
ズボンの股部内側（５）に加熱機を用いて固定することができることを特徴とする股ずれ防止用接着剤付き補強布材（１）。
【請求項２】
少なくともズボンの股部内側（５）に固定できるように略楕円状に形成したことを特徴とする前記請求項１に記載の股ずれ防止用接着剤付き補強布材（１）。
【請求項３】
前記請求項１ないし２に記載の股ずれ防止用接着剤付き補強布材（１）をズボンの股部内側（５）に加熱機を用いて固定したことを特徴とする紳士用ズボン（２）。
【考案の詳細な説明】
【０００１】
【考案の属する技術分野】
本考案は、紳士服用ズボンの着用者が歩行等する際に生じる股ずれを防止するため、紳士服用ズボンの股部内側に固定することのできる補強用布材の改良に関する。
【０００２】
【従来の技術及び考案が解決しようとする課題】
考案文献１ではズボンの股ずれ防止用布材の材質がメッシュ素材や通気性に優れた布材を採用して縫付けにより固定しているが、端部の縫付けでは、前記股ずれ防止用布材とズボンとの縫付け面に隙間が生じているので補強が充分ではないことが考えられる。また縫付けに時間を要してしまう。
【０００３】
考案文献２ではズボン内部の縫代の重ね合わせ部に、端部の係り縫いした当て布を当接させているが、この範囲では太股の内側の補強が狭い為ズボンの太股の内側が歩行等で擦れて短期間の内にズボンの布地が破損してしまうことが懸念される。
【０００４】
【考案文献１】
実用新案登録第３０８５６９９号公報（第１図、［００１４］）
【０００５】
【考案文献２】
実開昭５８−７８９０６号公報（第２図）
【０００６】
【課題を解決する為の手段】
そこで本考案者は以上の課題を解決する為に、鋭意検討を重ねた結果次の考案に到達した。
［１］本考案は、ズボンの股部内側（５）に加熱機を用いて固定することができることを特徴とする股ずれ防止用接着剤付き補強布材（１）を提供する。
［２］本考案は、少なくともズボンの股部内側（５）に固定できるように略楕円状に形成したことを特徴とする前記請求項１に記載の股ずれ防止用接着剤付き補強布材（１）を提供する。
［３］本考案は、前記請求項１ないし２に記載の股ずれ防止用接着剤付き補強布材（１）をズボンの股部内側（５）に加熱機を用いて固定したことを特徴とする紳士用ズボン（２）を提供する。
【０００７】
【考案の実施の形態】
図１は本考案の股ずれ防止用接着剤付き補強布材１の概略図で、図２は前記股ずれ防止用接着剤付き補強布材１を装着したズボン２の概略図である。図３は前記ズボン２を矢印Ａ方向から見たときの平面図である。
［股ずれ防止用接着剤付き補強布材１］
該股ずれ防止用接着剤付き補強布材（以下「補強布材」と略記する）１は、片面に例えば接着剤や粘着剤等が塗布されており、前記接着剤等が塗布した面の裏側から加熱機（例えばアイロン等）で加熱することにより、前記接着剤等が溶け出し熱接着によりズボンの股部内側５に固定することができるように形成されている。前記接着剤や粘着剤等は例えばポリウレタン系やポリアミド系の化学接着剤であり、前記接着剤は熱を加えることにより溶け出すように乾燥した状態で塗布されている。
しかし前記接着剤が例えばゲル状で塗布されている場合は、フィルム等で覆い、使用する際に前記フィルムを剥し、ズボンの股部内側５に貼付して、前記アイロン等で加熱して固定する。
少なくとも前記補強布材１はズボンの股部内側５に固定できるように略楕円状に形成されている。図１に例示するように補強布材１のラインＬ１は図３に例示した股下縫い線３に沿うので直線であるが、お尻の曲線部に当たるので弓状のラインＬ２のように形成しても良い。
前記補強布材１は略楕円状に形成することで、前記補強布材１の剥離を少なくすることができる。前記略楕円状は長方形の四隅を丸く形成した形状も含むが、前記補強布材１の形状は前記ズボンの股部内側５に補強するために装着するので、補強布材１の形状は特に限定するものではない。
図２に例示するように補強布材１はズボン股下内側５固定される。図３に例示するように前記補強布材１は横縫い線４の後方Ｂに股下縫い線３を対称に二箇所に当接して、前記補強布材１の上からアイロン等の熱により、前記補強布１を固定することができる。
［股ずれ防止用接着剤付き補強布材１を装着した紳士用ズボン２］
本考案の補強布材１をズボンの股部内側５に当接してアイロン等を用いて固定した紳士用ズボン２を形成することができる。
【０００８】
紳士用ズボンの股ずれ防止として、本考案の補強布材１により家庭で簡単に股ずれ防止の補強を行うことができる。また本考案の補強布１は布用接着剤で剥離しかけた前記補強布材１に塗布して補修することもできる。
【０００９】
【考案の作用効果】
本考案の股ずれ防止用接着剤付き補強布材１により、紳士服用ズボンの着用者が歩行等する際に生じる股ずれを家庭で簡単に補強する事ができる。
【図面の簡単な説明】
【図１】本発明の股ずれ防止用接着剤付き補強布材１の概略図
【図２】股ずれ防止用接着剤付き補強布材１を固定した紳士用ズボン２の概略図
【図３】前記紳士用ズボン２を矢印Ａ方向から見たときの平面図
【符号の説明】
１　股ずれ防止用接着剤付き補強布材
２　紳士用ズボン
３　股下縫い線
４　横縫い線
５　ズボン股下内側
Ｆ　前方
Ｂ　後方
Ｌ１、Ｌ２　ライン
【図１】
0003098164.tif 000003
【図２】
0003098164.tif 000004
【図３】
0003098164.tif 000005
【手続補正書】
【提出日】平成15年7月10日(2003.7.10)
【手続補正１】
【補正対象書類名】明細書
【補正対象項目名】全文
【補正方法】変更
【補正の内容】
【考案の詳細な説明】
【実用新案登録請求の範囲】
【請求項１】ズボンの股部内側（５）に固定する布材において、少なくとも布材の一側に接着剤（６）を塗布し、他側から加熱機を用いて固定することがきることを特徴とする接着剤付き股ずれ防止用補強布材（１）。
【請求項２】少なくともズボンの股部内側（５）に固定できるように略楕円状に形成したこと特徴とする前記請求項１に記載の接着剤付き股ずれ防止用補強布材（１）。
【請求項３】前記請求項１ないし２に記載の接着剤付き股ずれ防止用補強布材（１）をズボンの股部内側（５）に加熱機を用いて固定したことを特徴とする紳士用ズボン（２）。
【考案の詳細な説明】
【０００１】
【考案の属する技術分野】
本考案は、紳士服用ズボンの着用者が歩行等する際に生じる股ずれを防止するため、紳士服用ズボンの股部内側に固定することのできる補強用布材の改良に関する。
【０００２】
【従来の技術及び考案が解決しようとする課題】
考案文献１ではズボンの股ずれ防止用布材の材質がメッシュ素材や通気性に優れた布材を採用して縫付けにより固定しているが、端部の縫付けでは、前記股ずれ防止用布材とズボンとの縫付け面に隙間が生じているので補強が充分ではないことが考えられる。また縫付けに時間を要してしまう。
【０００３】
考案文献２ではズボン内部の縫代の重ね合わせ部に、端部の係り縫いした当て布を当接させているが、この範囲では太股の内側の補強が狭い為ズボンの太股の内側が歩行等で擦れて短期間の内にズボンの布地が破損してしまうことが懸念される。
【０００４】
【考案文献１】
実用新案登録第３０８５６９９号公報（第１図、［００１４］）
【０００５】
【考案文献２】
実開昭５８−７８９０６号公報（第２図）
【０００６】
【課題を解決する為の手段】
そこで本考案者は以上の課題を解決する為に、鋭意検討を重ねた結果次の考案に到達した。
［１］本考案は、ズボンの股部内側（５）に固定する布材において、少なくとも布材の一側に接着剤（６）を塗布し、他側から加熱機を用いて固定することがきることを特徴とする接着剤付き股ずれ防止用補強布材（１）を提供する。
［２］本考案は、少なくともズボンの股部内側（５）に固定できるように略楕円状に形成したこと特徴とする前記請求項１に記載の接着剤付き股ずれ防止用補強布材（１）を提供する。
［３］本考案は、前記請求項１ないし２に記載の接着剤付き股ずれ防止用補強布材（１）をズボンの股部内側（５）に加熱機を用いて固定したことを特徴とする紳士用ズボン（２）を提供する。
【０００７】
【考案の実施の形態】
図１は本考案の接着剤付き股ずれ防止用補強布材１の概略図で、図２は前記接着剤付き股ずれ防止用補強布材１を装着したズボン２の概略図である。図３は前記ズボン２を矢印Ａ方向から見たときの平面図である。
［接着剤付き股ずれ防止用補強布材１］
本発明の接着剤付き該股ずれ防止用補強布材（以下「補強布材」と略記する）１は、ズボンの股部内側５に固定する布材であり、少なくとも該布材の一側に接着剤６を塗布し、前記接着剤６を塗布した他側から加熱機（例えばアイロン等）で加熱することにより、前記接着剤６が溶け出し熱接着によりズボンの股部内側５に固定することができるように形成されている。前記接着剤６や粘着剤等は例えばポリウレタン系やポリアミド系の化学接着剤であり、前記接着剤６は熱を加えることにより溶け出すように乾燥した状態で塗布されている。
しかし前記接着剤６が例えばゲル状で塗布されている場合は、フィルム等で覆い、使用する際に前記フィルムを剥し、ズボンの股部内側５に貼付して、前記アイロン等で加熱して固定することができる。
少なくとも前記補強布材１はズボンの股部内側５に固定できるように略楕円状に形成されている。図１に例示するように補強布材１のラインＬ１は図３に例示した股下縫い線３に沿うので直線であるが、お尻の曲線部に当たるので弓状のラインＬ２のように形成しても良い。
前記補強布材１は略楕円状に形成することで、前記補強布材１の剥離を少なくすることができる。前記略楕円状の補強布材１は長方形の四隅を丸く形成した形状も含むが、前記補強布材１の形状は前記ズボンの股部内側５に補強するために装着するので、補強布材１の形状は特に限定するものではない。
図２に例示するように補強布材１はズボン股下内側５固定することができる。図３に例示するように前記補強布材１は横縫い線４の後方Ｂに股下縫い線３を対称に二箇所に当接して、前記補強布材１の上からアイロン等の熱により、前記補強布１を固定することができる。
［接着剤付き股ずれ防止用補強布材１を装着した紳士用ズボン２］
本考案の補強布材１をズボンの股部内側５に当接してアイロン等を用いて固定した紳士用ズボン２を形成することができる。
【０００８】
紳士用ズボンの股ずれ防止として、本考案の補強布材１により家庭で簡単に股ずれ防止の補強を行うことができる。また本考案の補強布１は布用接着剤で剥離しかけた前記補強布材１に塗布して補修することもできる。
【０００９】
【考案の作用効果】
本考案の接着剤付き股ずれ防止用補強布材１により、紳士服用ズボンの着用者が歩行等する際に生じる股ずれを家庭で簡単に補強する事ができる。
【図面の簡単な説明】
【図１】本発明の接着剤付き股ずれ防止用補強布材１の概略図
【図２】接着剤付き股ずれ防止用補強布材１を固定した紳士用ズボン２の概略図
【図３】前記紳士用ズボン２を矢印Ａ方向から見たときの平面図
【符号の説明】
１　股ずれ防止用接着剤付き補強布材
２　紳士用ズボン
３　股下縫い線
４　横縫い線
５　ズボン股下内側
６　接着剤
Ｆ　前方
Ｂ　後方
Ｌ１、Ｌ２　ライン
【手続補正２】
【補正対象書類名】図面
【補正対象項目名】図１
【補正方法】変更
【補正の内容】
【図１】
0003098164.tif 000006